(57)【要約】【課題】  ディスクを静音状態で円滑に高速回転させること。【解決手段】  ターンテーブル９を持ち上げてディスクＤを介してクランパ１４を横バー１６に押し付け、該横バー１６に作用するばねの付勢力によりクランパ１４とターンテーブル９とでディスクＤをクランプするタイプのディスク装置において、筒状収納部１２ａの底面開口部に従来一体突設されていたストッパ１３が削除され、前記横バー１６の底板部に貫設した連結孔２２と、クランパ１４の上面中央に一体突設した抜止めフック２５付き吊り軸２３とからなる連結機構２１を有しており、前記吊り軸２３を連結孔２２に嵌挿して抜止めフック２５を横バー１６の底板部の上面に対向させることにより、クランパ１４が横バー１６に吊り下げられている。【選択図】        図１
2008112531.tif 000002
【特許請求の範囲】
【請求項１】
ディスク載置用トレイを前後進可能に支持する合成樹脂製メインシャーシを有し、該メ
インシャーシ内に上下動可能に配置したドライブシャーシに光ピックアップとターンテー
ブルとが配置され、該ターンテーブルに対向してメインシャーシの両側板部間に横桁が一
体形成により架設され、該横桁の中央に一体形成した筒状収納部の底面開口部に内鍔状ス
トッパが一体突設され、筒状収納部内に上下動可能に配置したクランパが前記ストッパに
対向され、前記横桁の上面に該横桁に沿って形成した凹溝内に配置した横バーの一端部が
メインシャーシに係合されると共に、該横バーの他端部にばねが係合されることにより、
その横バーが下向きに付勢されており、プレイモードで、ドライブシャーシを上動させる
ことにより、トレイ上のディスクをターンテーブルで持ち上げて該ディスクを介してクラ
ンパを横バーに押し付け、該横バーに作用するばねの付勢力によりクランパとターンテー
ブルとでディスクをクランプし、そのターンテーブルによりディスクを高速回転させ、該
ディスクに記録されている情報を光ピックアップにより読み取るようにしたディスク装置
において、前記ストッパが削除され、前記横バーの底板部に貫設した連結孔と、クランパ
の上面中央に一体突設した抜止めフック付き吊り軸とからなる連結機構を有しており、前
記吊り軸を前記連結孔に嵌挿して抜止めフックを横バーの底板部の上面に対向させること
により、クランパが横バーに吊り下げられていることを特徴とするディスク装置。
【請求項２】
ディスク載置用トレイを前後進可能に支持する合成樹脂製メインシャーシを有し、該メ
インシャーシ内に上下動可能に配置したドライブシャーシに光ピックアップとターンテー
ブルとが配置され、該ターンテーブルに対向してメインシャーシの両側板部間に横桁が一
体形成により架設され、該横桁の中央に一体形成した筒状収納部の底面開口部に内鍔状ス
トッパが一体突設され、筒状収納部内に上下動可能に配置したクランパが前記ストッパに
対向されており、プレイモードで、ドライブシャーシを上動させることにより、トレイ上
のディスクをターンテーブルで持ち上げて該ディスクを該ターンテーブルとクランパとで
クランプし、そのターンテーブルによりディスクを高速回転させ、該ディスクに記録され
ている情報を光ピックアップにより読み取るようにしたディスク装置において、前記スト
ッパが削除され、前記クランパが連結機構を介して筒状収納部内に一定範囲内上下動可能
に吊り下げられていることを特徴とするディスク装置。
【請求項３】
前記横桁の上面に該横桁に沿って形成した凹溝内に配置した横バーの一端部がメインシ
ャーシに係合されると共に、該横バーの他端部にばねが係合されることにより、その横バ
ーが下向きに付勢され、前記連結機構が、前記横バーの底板部に貫設した連結孔と、クラ
ンパの上面中央に一体突設した抜止めフック付き吊り軸とからなり、該吊り軸を前記連結
孔に嵌挿して抜止めフックを横バーの底板部の上面に対向させることにより、クランパが
横バーに吊り下げられており、ターンテーブルを持ち上げてディスクを介してクランパを
横バーに押し付け、該横バーに作用するばねの付勢力によりクランパとターンテーブルと
でディスクをクランプすることを特徴とする請求項２に記載のディスク装置。
【請求項４】
前記クランパとターンテーブルとのうち、その一方に磁石が設けられると共に、その他
方にヨークが設けられ、前記連結機構が、前記筒状収納部の天板部の中央に貫設した連結
孔と、クランパの上面中央に一体突設した抜止めフック付き吊り軸とからなり、該吊り軸
を前記連結孔に嵌挿して抜止めフックを天板部の上面に対向させることにより、クランパ
が天板部に吊り下げられており、ターンテーブルを持ち上げてディスクを介してクランパ
を押し上げ、磁石とヨークとによる磁気吸引力によりターンテーブルとクランパとでディ
スクをクランプすることを特徴とする請求項２に記載のディスク装置。
【発明の詳細な説明】
【技術分野】
【０００１】
本発明は、例えばＤＶＤプレーヤやＤＶＤレコーダなどのディスク装置に関し、特に、
ディスクを静音状態で円滑に高速回転させることができるようにしたものである。
【背景技術】
【０００２】
従来、ディスク装置の一例として図５〜図８に示すものがあり、図５は同縦断面図、図
６（ａ）は同ディスクのクランプ状態を示す横断面図、図６（ｂ）は同ディスクのアンク
ランプ状態を示す横断面図、図７は同ディスク装置の分解斜視図、図８（ａ）は同ディス
クのクランプ状態を示す要部の拡大横断面図、図８（ｂ）はＣ−Ｃ矢視図である。これは
ＤＶＤプレーヤであって、ディスクＤ載置用トレイ１を前後進ａ，ｂ可能に支持する合成
樹脂製メインシャーシ２を有し、該メインシャーシ２内に配置した板金製ドライブシャー
シ３の後端が枢支軸４を介してメインシャーシ２に上下動ｃ，ｄ可能に枢支されると共に
、該ドライブシャーシ３の前端に突設したカムピン５が前後進ａ，ｂとは直交する左右方
向ｅ，ｆに移動可能なカムスライダ６のカム溝６ａに嵌入され、ドライブシャーシ３の中
央部に対物レンズＯＬ付き光ピックアップ８が移動可能に配置されると共に、該ドライブ
シャーシ３の前部にターンテーブル９付きスピンドルモータ１０が固定されている。
【０００３】
図５〜図８に示すように、前記ターンテーブル９に対向してメインシャーシ２の側板部
２ａ間に横桁１２が一体形成により架設され、該横桁１２の中央に一体形成した筒状収納
部１２ａの底面開口部に内鍔状ストッパ１３が一体突設され、筒状収納部１２ａ内にクラ
ンパ１４が上下動可能に配置され、該クランパ１４のフランジ部１４ａが前記ストッパ１
３に対向され、そのクランパ１４の上面中央に略半球状凸部１４ｂが一体突設され、前記
横桁１２の上面に該横桁１２に沿って形成した凹溝１５内に配置した横断面略コ字状の金
属板製横バー１６の一端部１６ａがメインシャーシ２と横桁１２との間に形成したコーナ
部１７の凹部１７ａに係合されると共に、該横バー１６の他端部１６ｂと側板部２ａの下
端に突設した係止突起１８との間にばね１９が張設されることにより、その横バー１６が
下向きに付勢されている。
【０００４】
情報読取手順を説明すると、図５の実線及び図６（ａ）はプレイモードを示しており、
カムスライダ６を矢印ｅ方向（またはｆ方向）にスライドさせ、カム溝６ａ及びカムピン
５を介してドライブシャーシ３を上動ｃさせることにより、トレイ１上のディスクＤをタ
ーンテーブル９で持ち上げて該ディスクＤを介してクランパ１４の凸部１４ｂの頂点を横
バー１６に押し付け、該横バー１６に作用するばね１９の付勢力によりクランパ１４とタ
ーンテーブル９とでディスクＤをクランプし、スピンドルモータ１０によりターンテーブ
ル９を介してディスクＤを高速回転させ、該ディスクＤに記録されている情報を光ピック
アップ８により読み取り、再生映像をモニターに映し出す。
【０００５】
トレイオープン時には、光ピックアップ８を前方に移動させ、カムスライダ６を矢印ｆ
方向（またはｅ方向）にスライドさせ、カム溝６ａ及びカムピン５を介してドライブシャ
ーシ３を下動ｄさせることにより、図５の仮想線及び図６（ｂ）に示すように、ディスク
Ｄをターンテーブル９からトレイ１上に移し換える。これによって、クランパ１４のフラ
ンジ部１４ａがストッパ１３に当接して、該クランパ１４が筒状収納部１２ａ内から落下
するのが阻止され、そのクランパ１４を筒状収納部１２ａ内に保持する。続いて、図５に
仮想線で示すように、トレイ１が前進ａされ、そのオープン状態のトレイ１からディスク
Ｄを取り出したり新たなディスクＤをトレイ１上に載置する。トレイイン時には上記とは
逆の操作がなされる。なお、関連する技術として特許文献１に記載したものがある。
【特許文献１】特開２００５−１４９５６１号公報
【発明の開示】
【発明が解決しようとする課題】
【０００６】
上記従来の構成では、例えば倉庫に保管しているときや搬送時に高温状態（例えば６０
°Ｃ）にさらされることにより、図６（ａ）に仮想線Ｔで示すように、メインシャーシ２
が熱変形されることがあり、これによって、図８（ａ）（ｂ）に示すように、その熱変形
に対応する角度α分の撓みが横桁１２に生じて、ターンテーブル９とクランパ１４とによ
りディスクＤをクランプしたときに、クランパ１４のフランジ部１４ａとストッパ１３と
が接触されたままの状態になることがあり、この状態で、ターンテーブル９によりディス
クＤを高速回転させると、フランジ部１４ａとストッパ１３との接触面Ｓで不快な異音が
生じると共に、ディスクＤを円滑に高速回転させることが困難になり、再生映像にノイズ
を発生させるおそれがある。
【０００７】
本発明は、上記従来の欠点に鑑み、ディスクを静音状態で円滑に高速回転させることが
できるようにしたディスク装置を提供することを目的としている。
【課題を解決するための手段】
【０００８】
上記目的を達成するため、請求項１に記載の発明は、ディスク載置用トレイを前後進可
能に支持する合成樹脂製メインシャーシを有し、該メインシャーシ内に上下動可能に配置
したドライブシャーシに光ピックアップとターンテーブルとが配置され、該ターンテーブ
ルに対向してメインシャーシの両側板部間に横桁が一体形成により架設され、該横桁の中
央に一体形成した筒状収納部の底面開口部に内鍔状ストッパが一体突設され、筒状収納部
内に上下動可能に配置したクランパが前記ストッパに対向され、前記横桁の上面に該横桁
に沿って形成した凹溝内に配置した横バーの一端部がメインシャーシに係合されると共に
、該横バーの他端部にばねが係合されることにより、その横バーが下向きに付勢されてお
り、プレイモードで、ドライブシャーシを上動させることにより、トレイ上のディスクを
ターンテーブルで持ち上げて該ディスクを介してクランパを横バーに押し付け、該横バー
に作用するばねの付勢力によりクランパとターンテーブルとでディスクをクランプし、そ
のターンテーブルによりディスクを高速回転させ、該ディスクに記録されている情報を光
ピックアップにより読み取るようにしたディスク装置において、前記ストッパが削除され
、前記横バーの底板部に貫設した連結孔と、クランパの上面中央に一体突設した抜止めフ
ック付き吊り軸とからなる連結機構を有しており、前記吊り軸を前記連結孔に嵌挿して抜
止めフックを横バーの底板部の上面に対向させることにより、クランパが横バーに吊り下
げられていることを特徴としている。
【０００９】
請求項２に記載の発明は、ディスク載置用トレイを前後進可能に支持する合成樹脂製メ
インシャーシを有し、該メインシャーシ内に上下動可能に配置したドライブシャーシに光
ピックアップとターンテーブルとが配置され、該ターンテーブルに対向してメインシャー
シの両側板部間に横桁が一体形成により架設され、該横桁の中央に一体形成した筒状収納
部の底面開口部に内鍔状ストッパが一体突設され、筒状収納部内に上下動可能に配置した
クランパが前記ストッパに対向されており、プレイモードで、ドライブシャーシを上動さ
せることにより、トレイ上のディスクをターンテーブルで持ち上げて該ディスクを該ター
ンテーブルとクランパとでクランプし、そのターンテーブルによりディスクを高速回転さ
せ、該ディスクに記録されている情報を光ピックアップにより読み取るようにしたディス
ク装置において、前記ストッパが削除され、前記クランパが連結機構を介して筒状収納部
内に一定範囲内上下動可能に吊り下げられていることを特徴としている。
【００１０】
請求項３に記載の発明は、請求項２に記載の発明において、前記横桁の上面に該横桁に
沿って形成した凹溝内に配置した横バーの一端部がメインシャーシに係合されると共に、
該横バーの他端部にばねが係合されることにより、その横バーが下向きに付勢され、前記
連結機構が、前記横バーの底板部に貫設した連結孔と、クランパの上面中央に一体突設し
た抜止めフック付き吊り軸とからなり、該吊り軸を前記連結孔に嵌挿して抜止めフックを
横バーの底板部の上面に対向させることにより、クランパが横バーに吊り下げられており
、ターンテーブルを持ち上げてディスクを介してクランパを横バーに押し付け、該横バー
に作用するばねの付勢力によりクランパとターンテーブルとでディスクをクランプするこ
とを特徴としている。
【００１１】
請求項４に記載の発明は、請求項２に記載の発明において、前記クランパとターンテー
ブルとのうち、その一方に磁石が設けられると共に、その他方にヨークが設けられ、前記
連結機構が、前記筒状収納部の天板部の中央に貫設した連結孔と、クランパの上面中央に
一体突設した抜止めフック付き吊り軸とからなり、該吊り軸を前記連結孔に嵌挿して抜止
めフックを天板部の上面に対向させることにより、クランパが天板部に吊り下げられてお
り、ターンテーブルを持ち上げてディスクを介してクランパを押し上げ、磁石とヨークと
による磁気吸引力によりターンテーブルとクランパとでディスクをクランプすることを特
徴としている。
【発明の効果】
【００１２】
請求項１に記載の発明によれば、ターンテーブルを持ち上げてディスクを介してクラン
パを横バーに押し付け、該横バーに作用するばねの付勢力によりターンテーブルとクラン
パとでディスクをクランプするタイプのディスク装置において、例えば倉庫に保管してい
るときや搬送時に高温状態にさらされることにより、メインシャーシが熱変形され、その
熱変形に対応する角度分の撓みが横桁に生じたとしても、従来であればクランプ時にクラ
ンパのフランジ部に接触するストッパが削除されているので、該クランパがフリー状態と
なり、そのクランパとターンテーブルとでディスクを確実にクランプして、そのターンテ
ーブルによりディスクを静音状態で円滑に高速回転させることができると共に、ノイズの
無い鮮明な再生映像を映し出すことができる。
【００１３】
また、クランパの上面中央に一体突設した吊り軸を横バーの連結孔に嵌挿して該吊り軸
の抜止めフックを横バーの底板部の上面に対向させているので、アンクランプ状態でも、
クランパを筒状収納部内に吊り下げ状態で所望通りに収納することができる。
【００１４】
請求項２に記載の発明によれば、例えば倉庫に保管しているときや搬送時に高温状態に
さらされることにより、メインシャーシが熱変形され、その熱変形に対応する角度分の撓
みが横桁に生じたとしても、従来であればクランプ時にクランパのフランジ部に接触する
ストッパが削除されているので、該クランパがフリー状態となり、そのクランパとターン
テーブルとでディスクを確実にクランプして、そのターンテーブルによりディスクを静音
状態で円滑に高速回転させることができると共に、ノイズの無い鮮明な再生映像を映し出
すことができる。
【００１５】
請求項３に記載の発明によれば、ターンテーブルを持ち上げてディスクを介してクラン
パを横バーに押し付け、該横バーに作用するばねの付勢力によりターンテーブルとクラン
パとでディスクをクランプするタイプのディスク装置において、クランパの上面中央に一
体突設した吊り軸を横バーの連結孔に嵌挿して該吊り軸の抜止めフックを横バーの底板部
の上面に対向させているので、アンクランプ状態でも、クランパを筒状収納部内に吊り下
げ状態で所望通りに収納することができる。
【００１６】
請求項４に記載の発明によれば、ターンテーブルを持ち上げてディスクを介してクラン
パを押し上げ、磁石とヨークとによる磁気吸引力によりターンテーブルとクランパとでデ
ィスクをクランプするタイプのディスク装置において、クランパの上面中央に一体突設し
た吊り軸を筒状収納部の天板部の連結孔に嵌挿して該吊り軸の抜止めフックを天板部の上
面に対向させているので、アンクランプ状態でも、クランパを筒状収納部内に吊り下げ状
態で所望通りに収納することができる。
【発明を実施するための最良の形態】
【００１７】
図１及び図２は本発明の第１の実施の形態であるディスク装置を示すものであって、図
１（ａ）は同ディスクのクランプ状態を示す要部の拡大横断面図、図１（ｂ）はＡ−Ａ矢
視図、図２は同要部の分解斜視図である。これは、ＤＶＤプレーヤであって、従来例（図
８参照）では筒状収納部１２ａの底面開口部に一体突設されていた内鍔状ストッパ１３が
削除され、クランパ１４が連結機構２１を介して筒状収納部１２ａ内に一定範囲内上下動
可能に吊り下げられている。上記以外の構成は図５〜図８に示す構成とほぼ同じであるか
ら、同一部分に同一符号を付してその説明を省略する。
【００１８】
前記連結機構２１は、横バー１６の底板部に貫設した連結孔２２と、クランパ１４の凸
部１４ｂの上面中央に一体突設した円筒状吊り軸２３とを有し、該吊り軸２３にその上端
縁から下方に向けて一対のスリット２４が所定間隔をおいて形成され、該両スリット２４
間に切り残された弾性変位可能な舌片２３ａの外周面上端に略三角形の抜止めフック２５
が一体突設されており、吊り軸２３を連結孔２２内に押し込んで舌片２３ａを弾性変位さ
せることにより、該吊り軸２３を連結孔２２に嵌挿して抜止めフック２５を横バー１６の
底板部の上面に対向させ、これによって、クランパ１４が横バー１６に吊り下げられてい
る。なお、前記凸部１４ｂの上面を平坦に形成して横バー１６の底板部の下面に当接させ
るようになっている。
【００１９】
上記構成によれば、図１（ａ）（ｂ）に示すように、例えば倉庫に保管しているときや
搬送時に高温状態にさらされることにより、メインシャーシ２が熱変形され、その熱変形
に対応する角度α分の撓みが横桁１２に生じたとしても、従来であればクランプ時にクラ
ンパ１４のフランジ部１４ａに接触するストッパ１３が削除されているので（図８参照）
、該クランパ１４がフリー状態となり、そのクランパ１４とターンテーブル９とでディス
クＤを確実にクランプして、そのターンテーブル９によりディスクＤを静音状態で円滑に
高速回転させることができると共に、ノイズの無い鮮明な再生映像を映し出すことができ
る。
【００２０】
また、クランパ１４の上面中央に一体突設した吊り軸２３を横バー１６の連結孔２２に
嵌挿して該吊り軸２３の抜止めフック２５を横バー１６の底板部の上面に対向させている
ので、アンクランプ状態でも、クランパ１４を筒状収納部１２ａ内に吊り下げ状態で所望
通りに収納することができる。
【００２１】
図３及び図４は本発明の第２の実施の形態であるディスク装置を示すものであって、図
３（ａ）は同ディスクのクランプ状態を示す要部の拡大横断面図、図３（ｂ）はＢ−Ｂ矢
視図、図４は同要部の分解斜視図である。これは、クランパ１４に磁石２７が設けられる
と共に、ターンテーブル９の中央突起部にヨーク２８が設けられており、ターンテーブル
９によりディスクＤを持ち上げ、磁石２７とヨーク２８とによる磁気吸引力によりターン
テーブル９とクランパ１４とでディスクＤをクランプするタイプのＤＶＤプレーヤであっ
て、従来例（図８参照）では筒状収納部１２ａの底面開口部に一体突設されていた内鍔状
ストッパ１３が削除され、クランパ１４が連結機構２１を介して筒状収納部１２ａ内に一
定範囲内上下動可能に吊り下げられている。上記以外の構成は図１及び図２に示す第１の
実施の形態とほぼ同じであるから、同一部分に同一符号を付してその説明を省略する。
【００２２】
前記連結機構２１は、筒状収納部１２ａの天板部２９の中央に貫設した連結孔２２と、
クランパ１４の上面中央に一体突設した円筒状吊り軸２３とを有し、該吊り軸２３を連結
孔２２に嵌挿して抜止めフック２５を天板部２９の上面に対向させ、これによって、クラ
ンパ１４が天板部２９に吊り下げられている。
【００２３】
上記構成によれば、第１の実施の形態（図１及び図２参照）とほぼ同じ効果を得ること
ができ、特に、クランパ１４の上面中央に一体突設した吊り軸２３を筒状収納部１２ａの
天板部２９の連結孔２２に嵌挿して該吊り軸２３の抜止めフック２５を天板部２９の上面
に対向させているので、アンクランプ状態でも、クランパ１４を筒状収納部１２ａ内に吊
り下げ状態で所望通りに収納することができる。
【００２４】
上記構成によれば、磁石２７をクランパ１４に設けると共に、ヨーク２８をターンテー
ブル９に設けたが、その逆に，磁石２７をターンテーブル９に設けると共に、ヨーク２８
をクランパ１４に設けてもよい。
【図面の簡単な説明】
【００２５】
【図１】（ａ）は本発明の第１の実施の形態であるディスク装置におけるディスクのクランプ状態を示す要部の拡大横断面図、（ｂ）はＡ−Ａ矢視図である。
【図２】同要部の分解斜視図である。
【図３】（ａ）は本発明の第２の実施の形態であるディスク装置におけるディスクのクランプ状態を示す要部の拡大横断面図、（ｂ）はＢ−Ｂ矢視図である。
【図４】同要部の分解斜視図である。
【図５】従来例を示す縦断面図である。
【図６】（ａ）は同ディスクのクランプ状態を示す横断面図、（ｂ）は同ディスクのアンクランプ状態を示す横断面図である。
【図７】同ディスク装置の分解斜視図である。
【図８】（ａ）は同ディスクのクランプ状態を示す要部の拡大横断面図、（ｂ）はＣ−Ｃ矢視図である。
【符号の説明】
【００２６】
１        トレイ
２        メインシャーシ
２ａ      メインシャーシの側板部
３        ドライブシャーシ
８        光ピックアップ
９        ターンテーブル
１２      横桁
１２ａ    筒状収納部
１３      ストッパ
１４      クランパ
１５      凹溝
１６      横バー
１９      ばね
２１      連結機構
２２      連結孔
２３      吊り軸
２５      抜止めフック
２７      磁石
２８      ヨーク
２９      天板部
Ｄ        ディスク
【図１】
2008112531.tif 000003
【図２】
2008112531.tif 000004
【図３】
2008112531.tif 000005
【図４】
2008112531.tif 000006
【図５】
2008112531.tif 000007
【図６】
2008112531.tif 000008
【図７】
2008112531.tif 000009
【図８】
2008112531.tif 000010